(57)【要約】  二つの衣料物品間にバリアシールを有する保護封印システムが提供される。そのシステムは、二重のバリアシールを提供する該カフを拡張するために、着用者の衣類と、第一弾性カフ、第二弾性カフの両方の間に配置された封印サポート部に固定可能な少なくとも二つの弾性カフを有する。
2010503778.tif 000002
【特許請求の範囲】
【請求項１】
二つの衣料物品間にバリアシールを提供する保護封印システムであって、
ａ．衣類の端部に固定可能な第一弾性カフ、
ｂ．衣類付属被覆部の端部に固定可能な第二弾性カフ、並びに
ｃ．バリアシールを提供する該カフを拡張するために、着用者の衣類と、該第一と該第      二の両方の弾性カフの間に配置された封印サポート部、
を含む保護封印システム。
【請求項２】
前記封印サポート部が一つの要素である、請求項１に記載のシステム。
【請求項３】
前記封印サポート部が二つの要素である、請求項１に記載のシステム。
【請求項４】
前記封印サポート部が弾力性を有する、請求項１に記載のシステム。
【請求項５】
前記封印サポート部が剛性を有する、請求項１に記載のシステム。
【請求項６】
前記封印サポート部の周囲部が、少なくとも前記第一弾性カフを備えたバリアシールを提供する、請求項１に記載のシステム。
【請求項７】
前記第二弾性カフが、前記第一弾性カフの少なくとも一部分で重なり合う、請求項１に記載のシステム。
【請求項８】
二つの衣料物品間にバリアシールを提供する保護封印システムであって、
ａ．衣類の端部に固定可能な弾性カフ、
ｂ．外径が該弾性カフを拡張するような大きさである、封印サポート部、並びに、
ｃ．封印サポート部に接合されて、着用者の衣類とバリアシールを形成する該弾性カフ      の間に配置された第二カフ、
を含む、保護封印システム。
【発明の詳細な説明】
【技術分野】
【０００１】
本発明は、接合部を通って気体及び液体の進入並びにその他関連する問題を阻止する衣類接合部を提供する保護物品に関する。例えば、本発明は、化学的、有害物的、又は生物的事象状況で保護衣の迅速な着衣と脱衣に関して有用であると考えることができる。
【背景技術】
【０００２】
この発明は、保護衣に関し、特に保護物品と衣類間の接合部に焦点を置く。本発明は、素早い着衣と脱衣を可能とし、弾力性があって邪魔にならないシールを形成する衣類−物品間の最適な接合部である。本発明は、気体進入を抑止するのに効果的であって、着用者にとって着心地がよい。
【発明の概要】
【発明が解決しようとする課題】
【０００３】
本発明は、二つの衣料物品間に形成されるバリアシールを有する保護封印システムであって、少なくとも一つの弾性カフを含み、そのカフが衣類の端部に固定され、並びに、バリアシールを提供するカフを拡張するために、着用者の衣類と、少なくとも一つの弾性カフ、いくつかの実施態様においては第二弾性カフとを含めて、それらの間に配置された封印サポート部を含む、保護封印システムを提供する。
【課題を解決するための手段】
【０００４】
本発明の利点は、該封印システムを用いると、衣類を着衣して脱衣することが容易になる点である。別の利点は、該封印システムの封印表面で、着用者に皮膚圧迫を与えず、快適性を与える点である。本発明は、カフの位置を安定にするので、バリアシールを維持するためにカフに外側のテープ巻き付けを必要としない。
【０００５】
本発明のさらなる特徴及び利点は、以下に述べるところで説明をする。これらの利点及び他の利点を確保するために、さらに本発明の目的に則って、具現化されて幅広く記載されるように、本発明を以下に述べる。
【図面の簡単な説明】
【０００６】
【図１】図１は、バリア保護のスリーブ及び結合する手袋のアセンブリの斜視図を示す。
【図２】図２は、封印サポート部６上で封印されて、その結果、気体進入を妨げるように、カフ２の封印エッジ３０が重なり合っている手袋開口部の拡大斜視図を示す。
【図３】図３は、弾性カフを備えたバリア手袋の拡大上面図を示す。
【図４Ａ】図４Ａは、調節可能なカフの概略図を示す。
【図４Ｂ】図４Ｂは、着衣と脱衣をし易いように親指バンドを備えた封印サポート部を示す。
【図５Ａ】図５Ａは、不浸透性カフの概略図を示す。
【図５Ｂ】図５Ｂは、不浸透性カフの概略図を示す。
【図５Ｃ】図５Ｃは、不浸透性カフの概略図を示す。
【図６Ａ】図６Ａは、本発明の封印サポート部の上面及び側面図を示す。
【図６Ｂ】図６Ｂは、本発明の封印サポート部の上面及び側面図を示す。
【図６Ｃ】図６Ｃは、本発明の封印サポート部の上面及び側面図を示す。
【図６Ｄ】図６Ｄは、本発明の封印サポート部の上面及び側面図を示す。
【図６Ｅ】図６Ｅは、本発明の封印サポート部の上面及び側面図を示す。
【図６Ｆ】図６Ｆは、本発明の封印サポート部の上面及び側面図を示す。
【図６Ｇ】図６Ｇは、本発明の封印サポート部の上面及び側面図を示す。
【図６Ｈ】図６Ｈは、本発明の封印サポート部の上面及び側面図を示す。
【図７Ａ】図７Ａは、結合した封印サポート部と手袋の斜視図を示す。
【図７Ｂ】図７Ｂは、長手袋に接合した封印サポート部の断面図を示す。
【図７Ｃ】図７Ｃは、長手袋に接合した封印サポート部の側面図を示す。
【発明を実施するための形態】
【０００７】
本発明は、二つの衣料物品間のバリアシールを提供する保護封印システムであって、そのバリアシールが、スリーブ、ズボンの脚、コート、又は他の衣服のような衣類の端部に固定可能な第一弾性カフ、衣類付属被覆部の端部に固定可能な第二弾性カフ、並びにバリアシールを提供するそのカフを拡張するために、着用者の衣類と、第一と第二の弾性カフの両方の間に配置された封印サポート部を含む、保護封印システムである。衣類付属被覆部は、封印を形成するために衣類と結合する。例えば、ブーツ又は手袋の形態の付属被覆部はズボンの脚又はスリーブに結合してもよい。同様に、頭部のかぶり物とツーピーススーツはバリア層を形成する本発明品と結合する。さらに、本発明は、衣服の二つの物品間のバリアシールを形成する保護封印システムを提供し、そのバリアシールが、衣類の端部に固定可能な少なくとも一つの弾性カフ、弾性カフを拡張するために外側の直径の大きさが適性化された封印サポート部、並びに、封印サポート部と接合し、及び着用者の衣類とバリアシールを形成する弾性カフとの間に配置された第二カフ含む、保護封印システムである。
【０００８】
「弾性」とは、素早く変形することができるか、又は容易に延伸するか若しくは収縮することができる材料を含む趣旨である。適切な弾性材料のタイプは、ブチルラバー、ナチュラルラバー、ブチルネオプレン、イソプレン、クロロプレン、ポリウレタン、シリコーン、及び他の適切な材料を含む。弾性材料は二つ以上の部から形成される「コンポジット」又は材料であってよい。例えば、コンポジット材料は化合物の複数層から形成されてよく、各々の層は、適切な結合手段を介して別の他の層に接合することができる。この発明のコンポジット材料は一つ以上の繊維層を含めてよいが、どんな繊維層も必ずしも必要とはしない。
【０００９】
「カフ」という用語は、封印サポート部の気体進入接合部の形成を意図する物品部分を含む趣旨である。例えば、カフ材料は手首を取り囲んでよく、第二補完カフで封印するように構成されてもよい。また、カフは、着用者の足、足首、首、又はウエストを取り囲んでもよい。
【００１０】
「封印サポート部」は、弾性材料を備えるバリアシールを形成することができる剛性又は半剛性を有する基盤を含む趣旨である。封印サポート部は、バリアシールを完成させるために必要とする少なくとも最小周囲部までカフを拡張する。外部の模擬材料から気体進入から着用者を保護するために、この特許の目的のためのバリアシールは、少なくとも一つのカフと封印サポート部間で形成されるシールである。封印サポート部は、一つの要素のサポート部であってもよいし、二つ以上要素を含んだサポート部でもよい。封印サポート部は、着用者の手足に過度な力がかからないようにするために最小周囲部を提供する。封印サポート部により、力が手足に均等に分散されることが可能となり、さらに封印接合部に関連する圧力から着用者を保護する。一つの実施態様では、直径が着用者のサイズに合うように、封印サポート部は、２から４インチ幅の円形の封印サポート部である。例えば、手首に対する適用において、封印サポート部の直径は約三インチでよいが、一方、足又は体の封印サポート接合部に対しては、その直径はずっと大きくなる。さらに、カフで組み立てられる時、封印サポート部は気体進入バリアを形成しなければならないが、封印サポート部は弾力性を有してもよく、剛性を有してもよく、又はそれらの組み合わせであってもよい。封印サポート周囲部は、少なくとも第一弾性カフを備えたバリアシールを提供する。その後、第二弾性カフは、第一弾性カフとシールを形成するために、第一弾性カフの少なくとも一部分で重なり合ってもよい。気体予防接合システムは、一重又は二重のシールを含んで構築されることが、一般的な様態である。
【００１１】
図１は、本発明の最も一般的な形態を示す。スリーブ１はカフ２の衣類エッジ３２でカフ２に接合する。さらに、カフ２は、気体進入予防シールを形成するために、封印サポート部６と結合する封印エッジを含む。その後、手袋は封印サポート部６で封印され、結果としてカフ２の封印エッジ３０は封印サポート部６に重なり合う。カフは、この図の手袋のような衣類に隣接し、結果として図２の形態で示されるように、気体流が封印システム５０の中に流れることを阻止する。
【００１２】
図３は、手袋を使った本発明の一つの実施態様を示す。手袋４は、フッククロージャー１２及びはめ合わせループのような固定アセンブリ、又は他の適切な固定アセンブリで組み立てられる。意図する固定アセンブリは、スナップ（留め金）、フック、ホック、ひも、クリップ、及び他の自明なバリエーションを含む。この実施態様において、シームテープ又はポリマービーズ等のような補強材は、継ぎ目に強度を加え、さらに着用者に対してバリア保護を提供するために用いられる。図３で示されるように、弾性カフ２は、カフ２の衣類エッジ３２で手袋に接合され、補強材１０を取り付けることできる。封印サポート部に対して円周方向により大きな封印力を提供するために、カフ２の封印エッジ３０は、カフ２の衣類エッジ３２よりも小さくすることができる。
【００１３】
図４Ａは、本発明の封印サポート部６の改良図を示す。この実施態様において、封印サポート部６は、剛性又は判剛性サポート部のポケットを含む。半剛性サポート部１８の複数の閉じられたスペースのポケットは、大きな封印表面を提供するために、封印サポート部６の周囲部の周りに利用することができる。着用者に好ましく体にぴったり合うように、小さくて幅のあるスペースの複数のポケット２０は、サポート部を取り囲むために利用することができる。着用者の着衣のし易さと快適さを提供する目的で、フッククロージャー１２及びはめ合わせループクロージャー１４が図示されているように、この封印サポート部６の実施態様は固定アセンブリを用いる。さらなる着用の快適さのために、着用者からの汗を逃がす目的で、湿気対処のパッドが、封印サポート部６の内部表面に存在する。図４Ｂは、着衣と脱衣のし易さのために親指バンド８０を備える封印サポート部を示す。親指バンド８０によって、着用者が開放部８２の中に親指を挿入して手首の位置に封印サポート部に固定することが可能となる。固定アセンブリは封印サポート部も様々位置に存在してもよい。
【００１４】
図５Ａ−Ｃは、本発明によって意図される様々なバリエーションの封印サポート部のいくつかを表す。図を参照すると、カフは、図５Ａ−Ｂで表されるように、衣類エッジ３２の周囲部よりも小さな周囲部を有する封印エッジ３０を備えてよい。図５Ｃで表されるように、カフは、等しい周囲長である封印エッジ３０と衣類エッジ３２を備えてもよい。オプションとして、衣類エッジ３２の周囲部よりも大きな周囲部を有して、例えば、ブーツとウェストバンドのような手袋以外の実施態様に対して有効となる可能性がある封印エッジ３０を備えるように、カフ２が設計されてもよい。図６Ａ−Ｈの図示は、本発明によって意図される、さらなる様々な封印サポート部の上面及び側面図を示す。図６Ａ−Ｃで示されるように、封印サポート部６は円形周囲部を含むことができる。このように、封印サポート部６の素早い着脱を可能とするためにヒンジ結合３１を用いることが好ましい。図６Ｄ−Ｆで示されるように、封印サポート部は複数の連結要素を含むことができる。その連結要素は、要望により円形又は非円形の周囲部を形成するように設計することができる。図６Ｇは、剛性又は半剛性サポート部のポケットを含む調節可能な封印サポート部６を図示する。半剛性サポート部１８の閉じられたスペースの複数のポケット部は、大きな封印表面を提供するために封印サポート部６の周囲部の周りに使用してもよい。小さくて幅があってスペースを有する複数のポケット部２０は、着用者に好ましく体にぴったり合うように、サポート部を取り囲むために利用することができる。フッククロージャー１２及びはめ合わせループクロージャー１４が図示されているように、固定アセンブリは、着衣のし易さと着用者のさらなる快適さを提供する。図６Ｈは、封印サポート部に封印エッジエリアを増大させること可能とする複数の開放領域４８を備える封印サポート部６を示す。
【００１５】
図７Ａ−Ｃは、本発明の他の実施態様を示す。図７Ａと７Ｂにおいて、封印サポート部が、手袋、ブーツ、又はシャツの襟のような保護衣類に接合することができる。この実施態様では、着用者が操作するのに必要な部分の数を減らすことによって、封印サポート部６が、より素早い着衣と脱衣に役に立つ。図７Ａは、結合した封印サポート部６と手袋４の斜視図を示す。封印サポート部６が、カフ２の衣類エッジ３２でカフ２に接合される。その後、カフ２は、気体進入予防シールを形成するために、保護衣類エッジ３２と結合する。この方法で、その後、手袋４は封印サポート部６で封印され、結果としてカフ２の封印エッジ３０は封印サポート部６に重なり合い、気体流が封印システムの中に流れることを阻止するように手袋は結合した保護衣のスリーブの中に配置する。図７Ｂは、カフの衣類エッジ３２と接合した封印サポート部６の断念図を示す。図７Ｃは、封印サポート部が保護衣のカフの外側で接合する、該実施態様の側面図のバリエーションを示す。該実施態様において、結合したスリーブは、シールを形成するために封印サポート部６上に配置してもよい。さらに、結合したスリーブは、物理的にシールと連結してシール強度を増すために、封印サポート部と連結する結合部を形成してもよい。
【００１６】
限定的ではない次の実施例は、本発明をさらに例証するために提供される。
【実施例】
【００１７】
実施例１
ＧＯＲＥTM ＣＨＥＭＰＡＫTM Ｕｌｔｒａ  Ｂａｒｒｉｅｒを備えた、アイテムナンバーＧ９４９２−Ｃ２、Ｍａｒｙｌａｎｄ、Ｅｌｋｔｏｎ、Ｗ．Ｌ．ＧＯＲＥ＆Ａｓｓｏｃｉａｔｅｓ  Ｉｎｃ．から入手可能である、不浸透性のバリア裏地で構成された手袋が、図３で示されるように、アイテムナンバーＦＷＳ３２、Ｏｈｉｏ、Ｃａｎｔｏｎ、Ｆｏｒｍｃｏから入手可能である、弾性ブチルラバーカフに取り付けられた。
【００１８】
弾性ブチルラバーカフのより大きな端部のディメンションに適合するように、手袋の上端部が先細くされた。そのラバーカフは手袋に縫合された。手袋とラバーカフ間の縫目は、アイテムナンバー６２−１３００−５５３０−４、Ｍｉｎｎｅｓｏｔａ、Ｓｔ．Ｐａｕｌ、３Ｍから入手可能であり、その縫目上に塗られるラバー接着剤を塗布した。手袋の辺に沿った二つの縫目も手袋とラバーカフ間の縫目も、アイテムナンバー６Ｈ２ＡＪＯ２２ＢＬＫＮＭ、Ｍａｒｙｌａｎｄ、Ｅｌｋｔｏｎ、Ｗ．Ｌ．ＧＯＲＥ＆Ａｓｓｏｃｉａｔｅｓ  Ｉｎｃ．から入手可能である、不浸透性のシームテープで、手袋の外側を封印サポート部６した。Ｐｅｎｎｓｙｌｖａｎｉａ、Ｂｅｎｓａｌｅｍ、Ｎｏｒｍａｎ  Ｓｈａｔｚ  Ｃｏｍｐａｎｙから入手可能である、一インチのフックとループのコネクターストラップは、図３で示されるように、不浸透性シームテープに縫合され、その後、その位置で手袋に接着した。
【００１９】
ＧＯＲＥTM ＣＨＥＭＰＡＫTM Ｕｌｔｒａ  Ｂａｒｒｉｅｒを備えた、アイテムＮｕｍｂｅｒ  ＭＴ−９４  、オハイオ州、Ｄａｙｔｏｎ、Ｌｉｏｎ  Ａｐｐａｒｅｌから入手可能である、不浸透性のバリアから構成された衣類が、図１で示されるように、手袋と連結して使用された。
【００２０】
着用者は、その衣類を着用し、次に手袋を着用した。手袋の弾性カフは、スリーブの弾性カフまで引き寄せられた。この実施態様においては、封印サポート部が用いられなかったので、着用者は手袋の空気を外に逃がようにしなければならなかった（手袋を「げっぷ」させる。）。
【００２１】
その後、手袋カフのストラップ部分が弾性カフまで引き寄せられてきつく締められた（この場合は、フックとループの締結具で締められた。）。[注記：この工程は、ぴったり合うことを可能として、手袋が不注意に前方に押し出された場合に封印障害を防止するために実行される。]。
【００２２】
その後、気体進入に関して、ＮＦＰＡ  １９９４  ２００６  Ｅｄｉｔｉｏｎ[８．６６]によるＴｈｅ  Ｍａｎ−ｉｎ−Ｓｉｍｕｌａｎｔ  Ｔｅｓｔ（ＭＩＳＴ）が実行された。模擬物に曝されている間、着用者は実験を実施した。スーツ又は接合部を通過する模擬物の位置と量を試験するために、化学的に吸収性のあるパッチが体表面上に置かれる。
【００２３】
結果は、Ｐｒｏｔｅｃｔｉｏｎ  Ｆａｃｔｏｒとして報告する。
ＰＦ＝[｛濃度×時間｝アウト]／[｛濃度×時間｝イン]
集合体のＰＦは、実施例１Ａに記載した：
吸収性パッチ−手：２，２３９平均
吸収性パッチ−前腕：２，０６６平均
【００２４】
この性能は、ＮＦＰＡ標準で述べられている最低の３６０を超えて良好であり、「クラス最高の」競合するシステムより良好であるか又は同等である。
【００２５】
それから、ＮＦＰＡ  １９７１  ２００６  Ｅｄｉｔｉｏｎ[８．３３]による、Ｏｖｅｒａｌｌ  Ｌｉｑｕｉｄ  Ｉｎｔｅｇｒｉｔｙ  Ｔｅｓｔ１が実行された。手袋及び接合部が表面張力が界面活性剤で３５ダイン／ｃｍ±５ダイン／ｃｍまで低下した水中に沈められた。５分間１０秒毎に、手袋及び接合部を屈曲する。手袋と接合部を通過する漏れが破損を構成する。
【００２６】
液状の水滴が観察されなかったので、この形態はこの試験に合格した。
【００２７】
実施例２
実施例１で述べられた手袋及び衣類を用いた。３インチ直径を有する、図６Ａ−Ｃで示されるような３インチ幅の円形の封印サポート部が、重なり合う弾性カフの下に配置された。
【００２８】
この形態は、液状の水滴が観察されなかったので、Ｏｖｅｒａｌｌ  Ｇｌｏｖｅ  Ｉｎｔｅｇｒｉｔｙ  Ｔｅｓｔに合格した。
【００２９】
実施例３
実施例１で述べられた手袋及び衣類を用いた。図４、４Ｂ、６Ｂ、及び６Ｈで示されるような３インチ幅の調節可能な封印サポート部が、重なり合う弾性カフの下に配置された。
【００３０】
この形態は、液状の水滴が観察されなかったので、Ｏｖｅｒａｌｌ  Ｇｌｏｖｅ  Ｉｎｔｅｇｒｉｔｙ  Ｔｅｓｔに合格した。
【００３１】
実施例４
実施例１で述べられた衣類を用いた。弾性カフを備えないが実施例１で述べられた手袋が、本発明に関する改良効果を実証するために代用された。
【００３２】
Ｔｈｅ  Ｍａｎ−ｉｎ−Ｓｉｍｕｌａｎｔ  Ｔｅｓｔの結果は、Ｐｒｏｔｅｃｔｉｏｎ  Ｆａｃｔｏｒとして報告する：
吸収性パッチ−手：６９２平均
吸収性パッチ−前腕：３８５平均
【００３３】
この性能は、ＮＦＰＡ標準で述べられている最低の３６０を超える。ところが「クラス最高の」競合するシステムと比較して同等ではない。さらに、着用者は、接合部位からの圧力が体に当たるのを感じた。
【００３４】
この形態は、Ｏｖｅｒａｌｌ  Ｇｌｏｖｅ  Ｉｎｔｅｇｒｉｔｙ  Ｔｅｓｔに合格しなかった。
【００３５】
実施例５
実施例１で述べられた衣類を用いた。カフ積層体に結合した熱可塑性ポリウレタンのシートを備えるが弾性カフを備えない、実施例１で述べられた手袋が用いられた。手首に一番近いカフ積層体のおよそ三インチがポリウレタンで覆われた。
【００３６】
Ｔｈｅ  Ｍａｎ−ｉｎ−Ｓｉｍｕｌａｎｔ  Ｔｅｓｔの結果は、Ｐｒｏｔｅｃｔｉｏｎ  Ｆａｃｔｏｒとして報告する：
吸収性パッチ−手：２５８５平均
吸収性パッチ−前腕：７６２平均
【００３７】
この性能は、ＮＦＰＡ標準で述べられている最低の３６０を超え、さらに実施例４で述べられたシステムを超える。
【００３８】
この形態は、Ｏｖｅｒａｌｌ  Ｇｌｏｖｅ  Ｉｎｔｅｇｒｉｔｙ  Ｔｅｓｔに合格しなかった。
【００３９】
実施例６
実施例１で述べられた衣類を用いた。弾性カフを備えない、実施例１で述べられた手袋が用いられた。アイテムナンバー９９０１４０、Ｄｅｌｗａｒｅ、Ｗｉｌｍｉｎｇｔｏｎ、Ｄｕｐｏｎｔから入手可能である、手袋シール接合リングシステムが、衣類に手袋を封印するために用いられた。このリングシステムは商業的に使われるが、素早い着衣／脱衣と半剛性のような本発明による有利な点を有していないので、封印接合部を取り除くことができない。
【００４０】
Ｔｈｅ  Ｍａｎ−ｉｎ−Ｓｉｍｕｌａｎｔ  Ｔｅｓｔの結果は、Ｐｒｏｔｅｃｔｉｏｎ  Ｆａｃｔｏｒとして報告する：
吸収性パッチ−手：１８７５平均
吸収性パッチ−前腕：２０９２平均
【００４１】
この形態は、Ｏｖｅｒａｌｌ  Ｇｌｏｖｅ  Ｉｎｔｅｇｒｉｔｙ  Ｔｅｓｔに合格しなかった。
【図１】
2010503778.tif 000003
【図２】
2010503778.tif 000004
【図３】
2010503778.tif 000005
【図４Ａ】
2010503778.tif 000006
【図４Ｂ】
2010503778.tif 000007
【図５Ａ】
2010503778.tif 000008
【図５Ｂ】
2010503778.tif 000009
【図５Ｃ】
2010503778.tif 000010
【図６Ａ】
2010503778.tif 000011
【図６Ｂ】
2010503778.tif 000012
【図６Ｃ】
2010503778.tif 000013
【図６Ｄ】
2010503778.tif 000014
【図６Ｅ】
2010503778.tif 000015
【図６Ｆ】
2010503778.tif 000016
【図６Ｇ】
2010503778.tif 000017
【図６Ｈ】
2010503778.tif 000018
【図７】
2010503778.tif 000019
【国際調査報告】
2010503778.tif 000020
2010503778.tif 000021
2010503778.tif 000022